(57)【要約】      （修正有）【課題】寝具の持ち運び及び上げ下ろしに対して、繰り返し使用しても充分な耐久性がある持ち手付き寝具カバーを提供する。【解決手段】持ち手付き寝具カバーＡは、寝具全体を包み込む袋体１０における該袋体の長手方向の一方の端部から約３分の１内方の位置までの矩形領域２０において、該矩形領域２０の周囲４辺２０ａ、２０ｂ、２０ｃ、２０ｄの各中央部に持ち手２１、２２、２３、２４が形成され、各持ち手２１、２２、２３、２４と相対抗する位置にある持ち手との間に袋体を構成する生地に沿って配された帯状紐３１ａ、３１ｂ、３２ａ、３２ｂが介在し、該帯状紐３１ａ、３１ｂ、３２ａ、３２ｂの長さが該帯状紐が沿う袋体１０の生地長さと同一である。【選択図】図２
0003124020.tif 000002
【実用新案登録請求の範囲】
【請求項１】
寝具全体を包み込む袋体における矩形領域において、該矩形領域の周囲４辺の各中央部に持ち手が形成され、各持ち手と少なくとも他の持ち手の１つとの間に袋体を構成する生地に沿って配された帯部が介在し、該帯部の長さが該帯部が沿う部分の袋体の生地長さと同一か又は短いことを特徴とする持ち手付き寝具カバー。
【請求項２】
矩形領域が、該袋体の長手方向の一方の端部から袋体の長さの約３分の１内方の位置までの領域であることを特徴とする請求項１に記載の持ち手付き寝具カバー。
【請求項３】
矩形領域が、該袋体の長さの約３分の１の長さの領域であって、袋体の中央部に位置する領域であることを特徴とする請求項１に記載の持ち手付き寝具カバー。
【請求項４】
矩形領域が、該袋体の長手方向の一方の端部から袋体の長さの約２分の１内方の位置までの領域であることを特徴とする請求項１に記載の持ち手付き寝具カバー。
【請求項５】
帯部が介在する持ち手が、相対抗する位置にある持ち手同士であることを特徴とする請求項１〜４のいずれか１項に記載の持ち手付き寝具カバー。
【請求項６】
帯部が介在する持ち手が、隣接する持ち手同士であることを特徴とする請求項１〜４のいずれか１項に記載の持ち手付き寝具カバー。
【請求項７】
持ち手が伸縮性を有することを特徴とする請求項１〜６のいずれか１項に記載の持ち手付き寝具カバー。
【請求項８】
持ち手に着脱自在の延長ベルトを設けたことを特徴とする請求項１〜７のいずれか１項に記載の持ち手付き寝具カバー。
【考案の詳細な説明】
【技術分野】
【０００１】
本考案は、敷き布団、掛け布団、マットレス等の寝具のカバーに関し、特に寝具の持ち運びを楽にする持ち手の付いた寝具カバーに関する。
【背景技術】
【０００２】
従来より、敷き布団、掛け布団、マットレス等の寝具に対し、その持ち運び及び上げ下ろしについて苦痛が訴えられている。その理由はこれら寝具が嵩高くて抱えにくいこととその重量にある。例えばシングルの敷き布団のサイズは約１００×２００ｃｍであって、ポリエステル硬綿敷き布団の重量は約５〜６ｋｇである。そして、その苦痛を軽減させるために寝具の中材を軽量化するという対策が講じられることがあるが、体重を支える寝具としての重圧に対する耐久性が乏しくなる場合があり、また、寝心地が悪くなる場合もあって、未だ達成されていないのが実情である。逆に敷き布団やマットレスについては、高機能性の追求のために、さらに重量が増大する傾向にある。
【０００３】
そこで、抱えやすくするという観点から種々の工夫がなされており、下記特許文献１及び２に示されるような持ち手を備えた形態の敷き掛け布団及び布団カバーが提案されている。
【特許文献１】実用新案登録第３０６０５４８号公報
【特許文献２】特開平１０−５０９９号公報
【考案の開示】
【考案が解決しようとする課題】
【０００４】
しかしながら、上記各特許文献に示されるものは、単に持ち手を縫着した程度のものである。したがって、寝具の持ち運び及び上げ下ろしのたびに持ち手にかなりの荷重がかかり、引っ張られるため、繰り返し使用すると引きちぎれて使用不可能になる欠点がある。
【０００５】
そこで、本考案者は、寝具の持ち運び及び上げ下ろしに対して、繰り返し使用しても充分な耐久性がある持ち手付き寝具カバーを開発した。
【課題を解決するための手段】
【０００６】
本考案に係る持ち手付き寝具カバーは、寝具全体を包み込む袋体における矩形領域において、該矩形領域の周囲４辺の各中央部に持ち手が形成され、各持ち手と少なくとも他の持ち手の１つとの間に袋体を構成する生地に沿って配された帯部が介在し、該帯部の長さが該帯部が沿う部分の袋体の生地長さと同一か又は短いことを特徴とするものである。なお、帯部は、広幅の帯体から構成してもよく、帯状紐から構成してもよい。
【０００７】
上記のように持ち手付き寝具カバーを構成したことにより、該カバーに寝具を内包した状態で、持ち手を利用して寝具を持ち運び及び上げ下ろしを行った場合に、たとえ持ち手に荷重がかかる等の引っ張り力が働いても、持ち手同士の間に介在する帯部がその引っ張り力を受け止めるため、袋体を構成する生地に直接引っ張り力が作用しないので、持ち手が袋体を構成する生地から引きちぎれてしまうおそれがなくなる。
【０００８】
また、上記の矩形領域が、該袋体の長手方向の一方の端部から袋体の長さの約３分の１内方の位置までの領域としてもよい。この場合には、例えば敷き布団を内包した持ち手付き寝具カバーにあっては、Ｓ字状の三つ折りに畳んだ際に、その底面に持ち手を備えた矩形領域を位置させることができ、持ち手を持って当該敷き布団を容易に持ち運び及び上げ下ろしすることが可能となる。また、上記の矩形領域が、該袋体の長さの約３分の１の長さの領域であって、袋体の中央部に位置する領域としてもよい。この場合には、例えば敷き布団を内包した持ち手付き寝具カバーにあっては、その中央部の上に上部及び下部を重ねるように三つ折りに畳んだ際に、その底面に持ち手を備えた矩形領域を位置させることができ、持ち手を持って当該敷き布団を容易に持ち運び及び上げ下ろしすることが可能となる。さらに、上記の矩形領域が、該袋体の長手方向の一方の端部から袋体の長さの約２分の１内方の位置までの領域としてもよい。この場合には、例えば敷き布団にあっては、二つ折りに畳んだ場合において、その底面に持ち手を備えた矩形領域を位置させることができ、持ち手を持って当該敷き布団を容易に持ち運び及び上げ下ろしすることが可能となる。
【０００９】
さらに、帯部が介在する持ち手が、相対抗する位置にある持ち手同士であってもよく、また、隣接する持ち手同士であってもよい。
【００１０】
さらにまた、持ち手が伸縮性を有する構成としてもよく、その場合には、持ち手自体を短く形成できるので、使用上邪魔にならなず、かつ、便利である利点がある。
【００１１】
また、持ち手に着脱自在の延長ベルトを設けた構造としてもよく、その場合には、小柄な体格の人にとって便利である。
【考案の効果】
【００１２】
上記の構成を有する持ち手付き寝具カバーは、寝具の持ち運び及び上げ下ろしに対して、繰り返し使用しても充分な耐久性があり、極めて有用である。
【考案を実施するための最良の形態】
【００１３】
以下に、本考案の好適な実施例を図面に基づいて詳細に説明する。
【実施例１】
【００１４】
図１は本実施例に係る持ち手付き寝具カバーの斜視図であり、図２は使用状態を示す斜視図である。
【００１５】
図１において、Ａは本実施例に係る持ち手付き寝具カバー（以下、単に「カバー」と称す）を示し、１０は寝具、例えば敷き布団の全体を包み込む通常の形態の袋体である。なお、掛け布団やマットレス等の寝具に本実施例の持ち手付き寝具カバーＡを採用してもよい。
【００１６】
２０は、該袋体１０の長手方向の一方の端部から約３分の１内方の位置までの矩形領域を示し、該矩形領域２０の周囲４辺２０ａ、２０ｂ、２０ｃ、２０ｄの各中央部に持ち手２１、２２、２３、２４が形成されている。そして、各持ち手２１、２２、２３、２４と相対抗する位置にある持ち手との間に袋体を構成する生地に沿って配された帯部が介在している。該帯部は本実施例においては２本１組の帯状紐にて構成している。すなわち、持ち手２１と該持ち手２１に相対抗する持ち手２３との間において、持ち手２１の基部２１ａと持ち手２３の基部２３ａとの間に帯状紐３１ａが介在しており、持ち手２１の基部２１ｂと持ち手２３の基部２３ｂとの間に帯状紐３１ｂが介在している。また、持ち手２２と該持ち手２２に相対抗する持ち手２４との間において、持ち手２２の基部２２ａと持ち手２４の基部２４ａとの間に帯状紐３２ａが介在しており、持ち手２２の基部２２ｂと持ち手２４の基部２４ｂとの間に帯状紐３２ｂが介在している。
【００１７】
上記の帯状紐３１ａ、３１ｂ、３２ａ、３２ｂは、袋体１０を構成する生地に沿うように縫着一体化して構成されている。すなわち、帯状紐３１ａ、３１ｂ、３２ａ、３２ｂの長さは、該帯状紐が沿う部分の袋体１０を構成する生地の長さと同一にして縫着し、帯状紐３１ａ、３１ｂ、３２ａ、３２ｂに対して、該帯状紐が沿う部分の袋体１０を構成する生地が弛むことのないようにしている。これにより、持ち手２１、２３を引っ張っても、その引っ張り力は帯状紐３１ａ、３１ｂが受け止め、袋体１０を構成する生地は引っ張られることがない。同様に持ち手２２、２４を引っ張っても、その引っ張り力は帯状紐３２ａ、３２ｂが受け止め、袋体１０を構成する生地は引っ張られることがない。なお、帯状紐３１ａ、３１ｂ、３２ａ、３２ｂの長さを該帯状紐が沿う部分の袋体１０を構成する生地の長さより短くしても上記の作用を果たし得るが、帯状紐３１ａ、３１ｂ、３２ａ、３２ｂの長さを該帯状紐が沿う部分の袋体１０を構成する生地の長さより長くすると、持ち手２１、２３を引っ張ったり、持ち手２２、２４を引っ張ったりすると、袋体１０を構成する生地が引っ張られるので当該生地が引きちぎれたり、持ち手２１、２２、２３、２４が引きちぎれたりするおそれがある。
【００１８】
なお、持ち手２１、２３と帯状紐３１ａ、３１ｂとが１本の連続した帯状紐で構成してもよく、各帯状紐３１ａ、３１ｂに各持ち手２１、２３を縫着して構成してもよい。同じく持ち手２２、２４と帯状紐３２ａ、３２ｂとが１本の連続した帯状紐で構成してもよく、各帯状紐３２ａ、３２ｂに各持ち手２２、２４を縫着して構成してもよい。本実施例においては、帯部として２本１対の帯状紐を使用したが、持ち手の基部間程度の幅を有する広幅の帯体を縫着してもよい。また、本実施例においては、帯部を縫着しているが、縫着に限るものではなく、接着剤による接着方法や熱融着による接着方法を採用してもよい。
【００１９】
上記構成を有するカバーＡは、その内部に敷き布団を収納し、カバー付きの敷き布団として使用する場合には、帯状紐３１ａ、３１ｂ、３２ａ、３２ｂを設けた面が下面になるようにする。また、当該カバー付き敷き布団を折り畳む場合には、図２に示すように、帯状紐３１ａ、３１ｂ、３２ａ、３２ｂを設けた矩形領域２０が底面となるようにＳ字状の三つ折りに折り畳み、その状態における周囲に配置される持ち手２１、２２、２３、２４を利用して持ち運び及び上げ下ろしを行うと労力が軽減される。また、上記の矩形領域が、該袋体の長さの約３分の１の長さの領域であって、袋体の中央部に位置する領域としてもよい。この場合には、例えば敷き布団を内包した持ち手付き寝具カバーにあっては、その中央部の上に上部及び下部を重ねるように三つ折りに畳んだ際に、その底面に持ち手を備えた矩形領域を位置させることができ、持ち手を持って当該敷き布団を容易に持ち運び及び上げ下ろしすることが可能となる。さらに、上記の矩形領域が、該袋体の長手方向の一方の端部から袋体の長さの約２分の１内方の位置までの領域としてもよい。この場合には、例えば敷き布団にあっては、二つ折りに畳んだ場合において、その底面に持ち手を備えた矩形領域を位置させることができ、持ち手を持って当該敷き布団を容易に持ち運び及び上げ下ろしすることが可能となる。
【００２０】
さらにまた、持ち手が伸縮性を有する構成としてもよく、その場合には、持ち手自体を短く形成できるので、使用上邪魔にならなず、かつ、便利である利点がある。
【００２１】
また、持ち手に着脱自在の延長ベルトを設けた構造としてもよく、その場合には、小柄な体格の人にとって便利である。
【００２２】
上記のように本実施例におけるカバーＡを構成したことにより、該カバーＡに寝具を内包した状態で、持ち手２１、２２、２３、２４を利用して敷き布団を持ち運び及び上げ下ろしを行った場合に、たとえ持ち手２１、２２、２３、２４に荷重がかかる等の引っ張り力が働いても、持ち手２１、２２、２３、２４同士の間に介在する帯状紐３１ａ、３１ｂ、３２ａ、３２ｂがその引っ張り力を受け止めるため、袋体１０を構成する生地に直接引っ張り力が作用しないので、持ち手２１、２２、２３、２４が袋体１０を構成する生地から引きちぎれてしまうおそれがなくなる。
【実施例２】
【００２３】
図３は本実施例に係る持ち手付き寝具カバーの要部斜視図である。
【００２４】
本実施例は、実施例１における帯状紐３１ａ、３１ｂ、３２ａ、３２ｂの配置形式の変更例である。
【００２５】
図３において、Ｂは本実施例に係る持ち手付き寝具カバー（以下、単に「カバー」と称す）を示し、１１０は寝具、例えば敷き布団の全体を包み込む通常の形態の袋体である。なお、掛け布団やマットレス等の寝具に本実施例の持ち手付き寝具カバーＢを採用してもよい。
【００２６】
１２０は、該袋体１１０の長手方向の一方の端部から約３分の１内方の位置までの矩形領域を示し、該矩形領域１２０の周囲４辺１２０ａ、１２０ｂ、１２０ｃ、１２０ｄの各中央部に持ち手１２１、１２２、１２３、１２４が形成されている。そして、各持ち手１２１、１２２、１２３、１２４と隣接する位置にある持ち手との間に袋体を構成する生地に沿って配された帯部が介在している。該帯部は本実施例においては１本の帯状紐にて構成している。すなわち、持ち手１２１と該持ち手１２１に隣接する持ち手１２２との間において、持ち手１２１の基部１２１ａと持ち手１２２の基部１２２ｂとの間に帯状紐１３１が介在している。また、持ち手１２２と該持ち手１２２に隣接する持ち手１２３との間において、持ち手１２２の基部１２２ｂと持ち手１２３の基部１２３ａとの間に帯状紐１３２が介在している。さらに、持ち手１２３と該持ち手１２３に隣接する持ち手１２４との間において、持ち手１２３の基部１２３ｂと持ち手１２４の基部１２４ｂとの間に帯状紐１３３が介在している。さらにまた、持ち手１２４と該持ち手１２４に隣接する持ち手１２１との間において、持ち手１２４の基部１２４ａと持ち手１２１の基部１２１ｂとの間に帯状紐１３４が介在している。
【００２７】
上記の帯状紐１３１、１３２、１３３、１３４は、袋体１１０を構成する生地に沿うように縫着一体化して構成されている。すなわち、帯状紐１３１、１３２、１３３、１３４の長さは、該帯状紐が沿う部分の袋体１１０を構成する生地の長さと同一にして縫着し、帯状紐１３１、１３２、１３３、１３４に対して、該帯状紐が沿う部分の袋体１１０を構成する生地が弛むことのないようにしている。これにより、持ち手１２１、１２３を引っ張っても、その引っ張り力は帯状紐１３１、１３２、１３３、１３４が受け止め、袋体１１０を構成する生地は引っ張られることがない。同様に持ち手２２、２４を引っ張っても、その引っ張り力は帯状紐１３１、１３２、１３３、１３４が受け止め、袋体１１０を構成する生地は引っ張られることがない。なお、帯状紐１３１、１３２、１３３、１３４の長さを該帯状紐が沿う部分の袋体１１０を構成する生地の長さより短くしても上記の作用を果たし得るが、帯状紐１３１、１３２、１３３、１３４の長さを該帯状紐が沿う部分の袋体１１０を構成する生地の長さより長くすると、持ち手１２１、１２３を引っ張ったり、持ち手１２２、１２４を引っ張ったりすると、袋体１１０を構成する生地が引っ張られるので当該生地が引きちぎれたり、持ち手１２１、１２２、１２３、１２４が引きちぎれたりするおそれがある。
【００２８】
なお、持ち手１２１、１２２、１２３、１２４と帯状紐１３１、１３２、１３３、１３４とが１本の連続した帯状紐で構成してもよく、各帯状紐１３１、１３２、１３３、１３４に各持ち手１２１、１２２、１２３、１２４を縫着して構成してもよい。また、本実施例においては、帯部を縫着しているが、縫着に限るものではなく、接着剤による接着方法や熱融着による接着方法を採用してもよい。
【００２９】
上記構成を有するカバーＡは、その内部に敷き布団を収納し、カバー付きの敷き布団として使用する場合には、帯状紐１３１、１３２、１３３、１３４を設けた面が下面になるようにする。また、当該カバー付き敷き布団を折り畳む場合には、帯状紐１３１、１３２、１３３、１３４を設けた矩形領域１２０が底面となるようにＳ字状の三つ折りに折り畳み、その状態における周囲に配置される持ち手１２１、１２２、１２３、１２４を利用して持ち運び及び上げ下ろしを行うと労力が軽減される。また、上記の矩形領域が、該袋体の長さの約３分の１の長さの領域であって、袋体の中央部に位置する領域としてもよい。この場合には、例えば敷き布団を内包した持ち手付き寝具カバーにあっては、その中央部の上に上部及び下部を重ねるように三つ折りに畳んだ際に、その底面に持ち手を備えた矩形領域を位置させることができ、持ち手を持って当該敷き布団を容易に持ち運び及び上げ下ろしすることが可能となる。さらに、上記の矩形領域が、該袋体の長手方向の一方の端部から袋体の長さの約２分の１内方の位置までの領域としてもよい。この場合には、例えば敷き布団にあっては、二つ折りに畳んだ場合において、その底面に持ち手を備えた矩形領域を位置させることができ、持ち手を持って当該敷き布団を容易に持ち運び及び上げ下ろしすることが可能となる。
【００３０】
さらにまた、持ち手が伸縮性を有する構成としてもよく、その場合には、持ち手自体を短く形成できるので、使用上邪魔にならなず、かつ、便利である利点がある。
【００３１】
また、持ち手に着脱自在の延長ベルトを設けた構造としてもよく、その場合には、小柄な体格の人にとって便利である。  上記のように本実施例におけるカバーＢを構成したことにより、該カバーＢに寝具を内包した状態で、持ち手１２１、１２２、１２３、１２４を利用して敷き布団を持ち運び及び上げ下ろしを行った場合に、たとえ持ち手１２１、１２２、１２３、１２４に荷重がかかる等の引っ張り力が働いても、持ち手１２１、１２２、１２３、１２４同士の間に介在する帯状紐１３１、１３２、１３３、１３４がその引っ張り力を受け止めるため、袋体１１０を構成する生地に直接引っ張り力が作用しないので、持ち手１２１、１２２、１２３、１２４が袋体１１０を構成する生地から引きちぎれてしまうおそれがなくなる。
【図面の簡単な説明】
【００３２】
【図１】実施例１に係る持ち手付き寝具カバーの斜視図である。
【図２】実施例１に係る持ち手付き寝具カバーの使用状態を示す斜視図である。
【図３】実施例２に係る持ち手付き寝具カバーの要部斜視図である。
【符号の説明】
【００３３】
Ａ・・・持ち手付き寝具カバー
１０・・袋体
２０・・矩形領域
２０ａ、２０ｂ、２０ｃ、２０ｄ・・・矩形領域の周囲４辺
２１、２２、２３、２４・・・持ち手
２１ａ、２２ａ、２３ａ、２４ａ・・・持ち手の基部
２１ｂ、２２ｂ、２３ｂ、２４ｂ・・・持ち手の基部
３１ａ、３１ｂ、３２ａ、３２ｂ・・・帯状紐
Ｂ・・・持ち手付き寝具カバー
１１０・・袋体
１２０・・矩形領域
１２０ａ、１２０ｂ、１２０ｃ、１２０ｄ・・・矩形領域の周囲４辺
１２１、１２２、１２３、１２４・・・持ち手
１２１ａ、１２２ａ、１２３ａ、１２４ａ・・・持ち手の基部
１２１ｂ、１２２ｂ、１２３ｂ、１２４ｂ・・・持ち手の基部
１３１、３２、１３３、１３４・・・帯状紐
【図１】
0003124020.tif 000003
【図２】
0003124020.tif 000004
【図３】
0003124020.tif 000005